(57)【要約】【課題】  印刷装置における紙送り誤差を検出し、かつ、紙送り誤差が最小限に抑制されるように紙送り動作制御を調整することを可能とする紙送り誤差検出装置及び印刷装置並びに紙送り誤差検出方法を提供する。【解決手段】  本発明に係る紙送り誤差検出装置及び印刷装置並びに紙送り誤差検出方法は、印刷ヘッドの複数のインク吐出部の一部により構成される上流側ノズル列により印刷され、印刷媒体搬送方向に交差する複数ライン状の基準パターン、及び、上流側ノズル列より搬送方向下流側に位置する複数のインク吐出部の一部により構成される下流側ノズル列により基準パターンに重なるように印刷され、基準パターンに平行な複数ライン状の調整用パターンからなる紙送り誤差検出用印刷パターンを印刷した印刷媒体を使用して、印刷濃度が最低である紙送り誤差検出用印刷パターンを特定して、紙送り誤差が最小となるように、紙送り量の理論値に加算する補正値を決定するものである。【選択図】  図１１
2005066935.tif 000002
【特許請求の範囲】
【請求項１】
印刷媒体搬送方向に沿って配設された複数のインク吐出部を有する印刷ヘッドの前記複数のインク吐出部の一部により構成される上流側ノズル列により印刷され、前記搬送方向に交差する複数ライン状の基準パターン、及び、前記上流側ノズル列より前記搬送方向下流側に位置する前記複数のインク吐出部の一部により構成される下流側ノズル列により前記基準パターンに重なるように印刷され、前記基準パターンに平行な複数ライン状の調整用パターンからなる紙送り誤差検出用印刷パターンを印刷した印刷媒体に対し照射光を出射する発光部と、
前記印刷媒体表面において反射された反射光を受光して検出し、前記紙送り誤差検出用印刷パターンの印刷濃度を反映する前記反射光の強度に応じた値の受光出力信号を変換生成する受光部と、
を備えていることを特徴とする紙送り誤差検出装置。
【請求項２】
印刷媒体搬送方向に沿って配設された複数のインク吐出部を有する印刷ヘッドの中央部より前記搬送方向上流側に位置する複数の前記インク吐出部としての下端部ノズル列により印刷され、前記搬送方向に交差する複数ライン状の基準パターン、及び、前記印刷ヘッドの中央部より前記搬送方向下流側に位置する複数の前記インク吐出部としての上端部ノズル列により前記基準パターンに重なるように印刷され、前記基準パターンに平行な複数ライン状の調整用パターンからなる紙送り誤差検出用印刷パターンを印刷した印刷媒体に対し照射光を出射する発光部と、
前記印刷媒体表面において反射された反射光を受光して検出し、前記紙送り誤差検出用印刷パターンの印刷濃度を反映する前記反射光の強度に応じた値の受光出力信号を変換生成する受光部と、
を備えていることを特徴とする紙送り誤差検出装置。
【請求項３】
前記紙送り誤差検出用印刷パターンは、前記基準パターンの印刷と前記調整用パターンの印刷との間に実行される紙送り動作の紙送り量を段階的に変動させながら複数印刷されたものであることを特徴とする請求項１又は２に記載の紙送り誤差検出装置。
【請求項４】
前記調整用パターンは、前記下端部ノズル列又は前記上流側ノズル列直下に位置していた印刷媒体領域が前記上端部ノズル列又は前記下流側ノズル列直下に位置することとなる基本紙送り量の紙送り動作又は前記基本紙送り量に補正値を加算した紙送り量の紙送り動作の後に印刷されたものであることを特徴とする請求項１乃至３のいずれかに記載の紙送り誤差検出装置。
【請求項５】
前記補正値は、前記インク吐出部の配置間隔を１単位として±１／２の範囲において変動させられるものであることを特徴とする請求項４に記載の紙送り誤差検出装置。
【請求項６】
印刷濃度が最低である前記紙送り誤差検出用印刷パターンを特定することにより、紙送り誤差が最小となる前記補正値を決定する紙送り誤差判定部をさらに備えていることを特徴とする請求項４又は５に記載の紙送り誤差検出装置。
【請求項７】
印刷媒体を搬送する印刷媒体搬送機構と、
印刷媒体搬送方向に沿って配設された複数のインク吐出部を有する印刷ヘッドと、
印刷媒体搬送方向に沿って配設された複数のインク吐出部を有する印刷ヘッドの前記複数のインク吐出部の一部により構成される上流側ノズル列により印刷され、前記搬送方向に交差する複数ライン状の基準パターン、及び、前記上流側ノズル列より前記搬送方向下流側に位置する前記複数のインク吐出部の一部により構成される下流側ノズル列により前記基準パターンに重なるように印刷され、前記基準パターンに平行な複数ライン状の調整用パターンからなる紙送り誤差検出用印刷パターンを印刷した印刷媒体に対し照射光を出射する発光部と、
前記印刷媒体表面において反射された反射光を受光して検出し、前記紙送り誤差検出用印刷パターンの印刷濃度を反映する前記反射光の強度に応じた値の受光出力信号を変換生成する受光部と、
を備えていることを特徴とする印刷装置。
【請求項８】
印刷媒体を搬送する印刷媒体搬送機構と、
印刷媒体搬送方向に沿って配設された複数のインク吐出部を有する印刷ヘッドと、
前記印刷ヘッドの中央部より前記搬送方向上流側に位置する複数の前記インク吐出部としての下端部ノズル列により印刷され、前記搬送方向に交差する複数ライン状の基準パターン、及び、前記印刷ヘッドの中央部より前記搬送方向下流側に位置する複数の前記インク吐出部としての上端部ノズル列により前記基準パターンに重なるように印刷され、前記基準パターンに平行な複数ライン状の調整用パターンからなる紙送り誤差検出用印刷パターンを印刷した印刷媒体に対し照射光を出射する発光部と、
前記印刷媒体表面において反射された反射光を受光して検出し、前記紙送り誤差検出用印刷パターンの印刷濃度を反映する前記反射光の強度に応じた値の受光出力信号を変換生成する受光部と、
を備えていることを特徴とする印刷装置。
【請求項９】
前記紙送り誤差検出用印刷パターンは、前記基準パターンの印刷と前記調整用パターンの印刷との間に実行される紙送り動作の紙送り量を段階的に変動させながら複数印刷されたものであることを特徴とする請求項７又は８に記載の印刷装置。
【請求項１０】
前記調整用パターンは、前記下端部ノズル列又は前記上流側ノズル列直下に位置していた印刷媒体領域が前記上端部ノズル列又は前記下流側ノズル列直下に位置することとなる基本紙送り量の紙送り動作又は前記基本紙送り量に補正値を加算した紙送り量の紙送り動作の後に印刷されたものであることを特徴とする請求項７乃至９のいずれかに記載の印刷装置。
【請求項１１】
前記補正値は、前記インク吐出部の配置間隔を１単位として±１／２の範囲において変動させられるものであることを特徴とする請求項１０に記載の印刷装置。
【請求項１２】
印刷濃度が最低である前記紙送り誤差検出用印刷パターンを特定することにより、紙送り誤差が最小となる前記補正値を決定する紙送り誤差判定部をさらに備えていることを特徴とする請求項１０又は１１に記載の印刷装置。
【請求項１３】
印刷媒体搬送方向に沿って配設された複数のインク吐出部を有する印刷ヘッドの前記複数のインク吐出部の一部により構成される上流側ノズル列により、前記搬送方向に交差する複数ライン状の基準パターンを印刷する過程と、
前記上流側ノズル列直下に位置していた印刷媒体領域が、前記上流側ノズル列より前記搬送方向下流側に位置する前記複数のインク吐出部の一部により構成される下流側ノズル列直下に位置することとなる基本紙送り量の紙送り動作又は前記基本紙送り量に補正値を加算した紙送り量の紙送り動作を行う過程と、
前記基準パターンに重なるように、前記基準パターンに平行な複数ライン状の調整用パターンを前記下流側ノズル列により印刷し、前記基準パターン及び前記調整用パターンからなる紙送り誤差検出用印刷パターンを形成する過程と、
を備えていることを特徴とする紙送り誤差検出方法。
【請求項１４】
印刷媒体搬送方向に沿って配設された複数のインク吐出部を有する印刷ヘッドの中央部より前記搬送方向上流側に位置する複数の前記インク吐出部としての下端部ノズル列により、前記搬送方向に交差する複数ライン状の基準パターンを印刷する過程と、
前記下端部ノズル列直下に位置していた印刷媒体領域が、前記印刷ヘッドの中央部より前記搬送方向下流側に位置する複数の前記インク吐出部としての上端部ノズル列直下に位置することとなる基本紙送り量の紙送り動作又は前記基本紙送り量に補正値を加算した紙送り量の紙送り動作を行う過程と、
前記基準パターンに重なるように、前記基準パターンに平行な複数ライン状の調整用パターンを前記上端部ノズル列により印刷し、前記基準パターン及び前記調整用パターンからなる紙送り誤差検出用印刷パターンを形成する過程と、
を備えていることを特徴とする紙送り誤差検出方法。
【請求項１５】
前記補正値を変動させながら、一連の前記過程を繰り返す過程をさらに備えていることを特徴とする請求項１４又は１５に記載の紙送り誤差検出方法。
【請求項１６】
前記インク吐出部の配置間隔を１単位として±１／２の範囲において前記補正値を変動させることを特徴とする請求項１５に記載の紙送り誤差検出方法。
【請求項１７】
印刷濃度が最低である前記紙送り誤差検出用印刷パターンを特定することにより、紙送り誤差が最小となる前記補正値を決定する過程をさらに備えていることを特徴とする請求項１５又は１６に記載の紙送り誤差検出方法。
【請求項１８】
前記紙送り誤差検出用印刷パターンを印刷した印刷媒体に対し照射光を照射する過程と、
前記印刷媒体表面において反射された反射光を受光して検出し、前記紙送り誤差検出用印刷パターンの印刷濃度を反映する前記反射光の強度に応じた値の受光出力信号を変換生成する過程と、
をさらに備えていることを特徴とする請求項１４乃至１６のいずれかに記載の紙送り誤差検出方法。
【請求項１９】
印刷濃度が最低である前記紙送り誤差検出用印刷パターンを特定することにより、紙送り誤差が最小となる前記補正値を決定する過程をさらに備えていることを特徴とする請求項１８に記載の紙送り誤差検出方法。
【発明の詳細な説明】
【技術分野】
【０００１】
本発明は、紙送り誤差検出装置及び印刷装置並びに紙送り誤差検出方法に係り、特に、印刷媒体に照射した光の反射光を用いて印刷媒体表面の印刷状態を検出する印刷状態検出用光学式センサ（以下、「光センサ」ともいう。）を利用した紙送り誤差検出装置及び紙送り誤差検出方法、並びに、そのような紙送り誤差検出装置を搭載した印刷装置に関する。
【背景技術】
【０００２】
多数のインク吐出部としてのノズルが配設された印刷ヘッドを備えた印刷装置としてのインクジェットプリンタは、印刷ヘッドの各ノズルからインク滴を吐出して、印刷用紙等の印刷媒体に滴下することにより画像や文字等を印刷する。
【０００３】
ところが、インクの粘度の増加やインクへの気泡の混入等の原因によって、印刷ヘッドに設けられた多数のノズルのうちのいずれかが目詰まりしてインク滴を吐出できなくなる場合がある。
【０００４】
ノズルが目詰まりしてインク滴を吐出できなくなると、インク滴により形成される多数のドットから構成される画像内にドット抜けが生じ、画質の劣化を招くこととなる。
【０００５】
ノズルからのインク滴の吐出状態を検査し判定する装置としては、印刷媒体に１ノズルごとに一つの印刷ブロックを形成する判定用パターンを印刷し、かつ、印刷媒体に照射した光の反射光の強度を検出することにより各ノズルからのインク吐出の有無を判定するインク吐出判定装置を搭載した印刷装置が公知となっている（例えば、特許文献１参照）。
【０００６】
斯かるインク吐出判定装置は、発光部と受光部とを有する光学式センサを内蔵しており、各ノズルに対応してそれぞれ印刷媒体上に形成された判定用パターンに発光部から光を照射し、判定用パターンの印刷状態に応じた強度を有する反射光を受光した受光部の出力に基づいて各ノズルからのインク吐出の有無を判定する。
【特許文献１】特開平６−２９７７２８号公報
【発明の開示】
【発明が解決しようとする課題】
【０００７】
ところで、印刷装置における印刷媒体、例えば印刷用紙は、紙送りモータ及び紙送りローラによって搬送される。
【０００８】
その紙送り動作における紙送り量は、印刷装置全体の動作を制御するシステムコントローラからの指令に基づき、紙送り方向における駆動動作を制御する副走査ドライバによって制御されるが、最終的には紙送りローラによって印刷媒体に伝達される。
【０００９】
しかし、その紙送りローラにおいては、製造プロセスばらつきに起因して使用開始前から偏心が生じていることがある。また、使用開始後の偏摩耗によって結果的に偏心と同様の状態となってしまうこともある。
【００１０】
偏心又は偏摩耗の生じた紙送りローラは部位によって半径が異なり、一定の中心角に対する弧の長さも部位によって異なるので、設計データ上の半径又は均等に摩耗したときの半径から想定される円周の長さと実際の円周の長さとの間に誤差が生ずることとなる。
【００１１】
従って、そのような偏心又は偏摩耗の生じた紙送りローラを使用して紙送り動作を行うと、指令された紙送り量と実際の紙送り量との間に誤差が生ずる結果となる。
【００１２】
紙送り量の誤差、即ち、紙送り誤差は印刷画質の低下を招くため、印刷装置においては、紙送り誤差が最小限に抑制されるように紙送り制御が調整されることが望ましい。
【００１３】
そのためには、先ず、個々の印刷装置においてどの程度の紙送り誤差が生じているかを正確に検出する必要がある。
【００１４】
紙送り誤差は、印刷画質の低下として印刷媒体表面の印刷状態に反映されることから、一定のパターンを印刷してその印刷状態を調査することにより、紙送り誤差を検出できる可能性がある。
【００１５】
一方、前述のインク吐出判定装置は、反射光の強度に反映される印刷媒体表面の印刷状態を検出するものであるから、ノズルからのインク吐出状態の判定に限らず、印刷媒体表面の印刷状態に反映される印刷装置の種々の動作状態を検出する印刷動作状態検出装置として広く使用できる可能性がある。
【課題を解決するための手段】
【００１６】
本発明の目的は、印刷媒体に照射した光の反射光を用いて印刷媒体表面の印刷状態を検出する印刷状態検出用光学式センサを用いて、印刷装置における紙送り誤差を検出し、かつ、紙送り誤差が最小限に抑制されるように紙送り動作制御を調整することを可能とする紙送り誤差検出装置及び印刷装置並びに紙送り誤差検出方法を提供することである。
【００１７】
本発明の実施の一形態に係る紙送り誤差検出装置の第一の観点によれば、
印刷媒体搬送方向に沿って配設された複数のインク吐出部を有する印刷ヘッドの上記複数のインク吐出部の一部により構成される上流側ノズル列により印刷され、上記搬送方向に交差する複数ライン状の基準パターン、及び、上記上流側ノズル列より上記搬送方向下流側に位置する上記複数のインク吐出部の一部により構成される下流側ノズル列により上記基準パターンに重なるように印刷され、上記基準パターンに平行な複数ライン状の調整用パターンからなる紙送り誤差検出用印刷パターンを印刷した印刷媒体に対し照射光を出射する発光部と、
上記印刷媒体表面において反射された反射光を受光して検出し、上記紙送り誤差検出用印刷パターンの印刷濃度を反映する上記反射光の強度に応じた値の受光出力信号を変換生成する受光部と、
を備えていることを特徴とする。
【００１８】
本発明の実施の一形態に係る紙送り誤差検出装置の第二の観点によれば、
印刷媒体搬送方向に沿って配設された複数のインク吐出部を有する印刷ヘッドの中央部より上記搬送方向上流側に位置する複数の上記インク吐出部としての下端部ノズル列により印刷され、上記搬送方向に交差する複数ライン状の基準パターン、及び、上記印刷ヘッドの中央部より上記搬送方向下流側に位置する複数の上記インク吐出部としての上端部ノズル列により上記基準パターンに重なるように印刷され、上記基準パターンに平行な複数ライン状の調整用パターンからなる紙送り誤差検出用印刷パターンを印刷した印刷媒体に対し照射光を出射する発光部と、
上記印刷媒体表面において反射された反射光を受光して検出し、上記紙送り誤差検出用印刷パターンの印刷濃度を反映する上記反射光の強度に応じた値の受光出力信号を変換生成する受光部と、
を備えていることを特徴とする。
【００１９】
本発明の実施の一形態に係る印刷装置の第一の観点によれば、
印刷媒体を搬送する印刷媒体搬送機構と、
印刷媒体搬送方向に沿って配設された複数のインク吐出部を有する印刷ヘッドと、
印刷媒体搬送方向に沿って配設された複数のインク吐出部を有する印刷ヘッドの上記複数のインク吐出部の一部により構成される上流側ノズル列により印刷され、上記搬送方向に交差する複数ライン状の基準パターン、及び、上記上流側ノズル列より上記搬送方向下流側に位置する上記複数のインク吐出部の一部により構成される下流側ノズル列により上記基準パターンに重なるように印刷され、上記基準パターンに平行な複数ライン状の調整用パターンからなる紙送り誤差検出用印刷パターンを印刷した印刷媒体に対し照射光を出射する発光部と、
上記印刷媒体表面において反射された反射光を受光して検出し、上記紙送り誤差検出用印刷パターンの印刷濃度を反映する上記反射光の強度に応じた値の受光出力信号を変換生成する受光部と、
を備えていることを特徴とする。
【００２０】
本発明の実施の一形態に係る印刷装置の第二の観点によれば、
印刷媒体を搬送する印刷媒体搬送機構と、
印刷媒体搬送方向に沿って配設された複数のインク吐出部を有する印刷ヘッドと、
上記印刷ヘッドの中央部より上記搬送方向上流側に位置する複数の上記インク吐出部としての下端部ノズル列により印刷され、上記搬送方向に交差する複数ライン状の基準パターン、及び、上記印刷ヘッドの中央部より上記搬送方向下流側に位置する複数の上記インク吐出部としての上端部ノズル列により上記基準パターンに重なるように印刷され、上記基準パターンに平行な複数ライン状の調整用パターンからなる紙送り誤差検出用印刷パターンを印刷した印刷媒体に対し照射光を出射する発光部と、
上記印刷媒体表面において反射された反射光を受光して検出し、上記紙送り誤差検出用印刷パターンの印刷濃度を反映する上記反射光の強度に応じた値の受光出力信号を変換生成する受光部と、
を備えていることを特徴とする。
【００２１】
上記本発明の実施の一形態に係る紙送り誤差検出装置又は印刷装置の構成において、上記紙送り誤差検出用印刷パターンは、上記基準パターンの印刷と上記調整用パターンの印刷との間に実行される紙送り動作の紙送り量を段階的に変動させながら複数印刷されたものとするとよい。
【００２２】
また、上記調整用パターンは、上記下端部ノズル列又は上記上流側ノズル列直下に位置していた印刷媒体領域が上記上端部ノズル列又は上記下流側ノズル列直下に位置することとなる基本紙送り量の紙送り動作又は上記基本紙送り量に補正値を加算した紙送り量の紙送り動作の後に印刷されたものとするとよい。その場合、上記補正値は、上記インク吐出部の配置間隔を１単位として±１／２の範囲において変動させられるものとするとよい。
【００２３】
また、印刷濃度が最低である上記紙送り誤差検出用印刷パターンを特定することにより、紙送り誤差が最小となる上記補正値を決定する紙送り誤差判定部をさらに備えているものとするとよい。
【００２４】
本発明の実施の一形態に係る紙送り誤差検出方法の第一の観点によれば、
印刷媒体搬送方向に沿って配設された複数のインク吐出部を有する印刷ヘッドの上記複数のインク吐出部の一部により構成される上流側ノズル列により、上記搬送方向に交差する複数ライン状の基準パターンを印刷する過程と、
上記上流側ノズル列直下に位置していた印刷媒体領域が、上記上流側ノズル列より上記搬送方向下流側に位置する上記複数のインク吐出部の一部により構成される下流側ノズル列直下に位置することとなる基本紙送り量の紙送り動作又は上記基本紙送り量に補正値を加算した紙送り量の紙送り動作を行う過程と、
上記基準パターンに重なるように、上記基準パターンに平行な複数ライン状の調整用パターンを上記下流側ノズル列により印刷し、上記基準パターン及び上記調整用パターンからなる紙送り誤差検出用印刷パターンを形成する過程と、
を備えていることを特徴とする。
【００２５】
本発明の実施の一形態に係る紙送り誤差検出方法の第二の観点によれば、
印刷媒体搬送方向に沿って配設された複数のインク吐出部を有する印刷ヘッドの中央部より上記搬送方向上流側に位置する複数の上記インク吐出部としての下端部ノズル列により、上記搬送方向に交差する複数ライン状の基準パターンを印刷する過程と、
上記下端部ノズル列直下に位置していた印刷媒体領域が、上記印刷ヘッドの中央部より上記搬送方向下流側に位置する複数の上記インク吐出部としての上端部ノズル列直下に位置することとなる基本紙送り量の紙送り動作又は上記基本紙送り量に補正値を加算した紙送り量の紙送り動作を行う過程と、
上記基準パターンに重なるように、上記基準パターンに平行な複数ライン状の調整用パターンを上記上端部ノズル列により印刷し、上記基準パターン及び上記調整用パターンからなる紙送り誤差検出用印刷パターンを形成する過程と、
を備えていることを特徴とする。
【００２６】
上記本発明の実施の一形態に係る紙送り誤差検出方法の構成において、上記補正値を変動させながら、一連の上記過程を繰り返す過程をさらに備えているものとするとよい。その場合、上記インク吐出部の配置間隔を１単位として±１／２の範囲において上記補正値を変動させるものとするとよい。さらに、それらの場合において、印刷濃度が最低である上記紙送り誤差検出用印刷パターンを特定することにより、紙送り誤差が最小となる上記補正値を決定する過程をさらに備えているものとするとよい。
【００２７】
また、上記紙送り誤差検出用印刷パターンを印刷した印刷媒体に対し照射光を照射する過程と、
上記印刷媒体表面において反射された反射光を受光して検出し、上記紙送り誤差検出用印刷パターンの印刷濃度を反映する上記反射光の強度に応じた値の受光出力信号を変換生成する過程と、
をさらに備えているものとするとよい。
【００２８】
その場合においても、印刷濃度が最低である上記紙送り誤差検出用印刷パターンを特定することにより、紙送り誤差が最小となる上記補正値を決定する過程をさらに備えているものとするとよい。
【発明の効果】
【００２９】
本発明に係る紙送り誤差検出装置及び印刷装置並びに紙送り誤差検出方法によれば、印刷媒体に照射した光の反射光を用いて印刷媒体表面の印刷状態を検出する印刷状態検出用光学式センサを用いて、印刷装置における紙送り誤差を検出し、かつ、紙送り誤差が最小限に抑制されるように紙送り動作制御を調整することができる。
【発明を実施するための最良の形態】
【００３０】
以下、本発明に係る紙送り誤差検出装置及び印刷装置並びに紙送り誤差検出方法の実施の形態について、図面を参照しながら説明する。
【００３１】
最初に、本発明に係る紙送り誤差検出装置及び印刷装置並びに紙送り誤差検出方法の構成の主な適用対象であるインクジェットプリンタの概略構成について説明する。
【００３２】
図１は、本発明に係る紙送り誤差検出装置及び印刷装置並びに紙送り誤差検出方法の構成の主な適用対象であるインクジェットプリンタにおける主要部の概略構成を示す斜視図である。
【００３３】
インクジェットプリンタの一例としてのプリンタ２０は、用紙スタッカ２２と、図示しないモータにより駆動され、印刷媒体としての印刷用紙Ｐを搬送する搬送ローラ２４と、プラテン板２６と、キャリッジ２８と、キャリッジモータ３０と、キャリッジモータ３０により駆動される牽引ベルト３２と、キャリッジ２８を案内するためのガイドレール３４とを備えている。
【００３４】
キャリッジ２８には、印刷用紙Ｐの搬送方向（以下、副走査方向ともいう。）に沿って配設されたインク吐出部としての複数個のノズルをそれぞれ含む複数列のノズル列を有する印刷ヘッド３６，各ノズルからのインク吐出の有無を判定する判定装置としての光センサ４１，及び、符号板３３を読み取るためのリニアエンコーダ２９が搭載されている。
【００３５】
搬送ローラ２４の軸にはロータリーエンコーダ２５が設けられており、このロータリーエンコーダ２５の出力に基づいて印刷用紙Ｐの搬送量を制御している。従って、印刷用紙の搬送方向と直交する方向（以下、主走査方向ともいう。）におけるキャリッジ２８の位置はリニアエンコーダ２９により検知し、印刷用紙Ｐの位置はロータリーエンコーダ２５により検知することが可能である。即ち、プリンタ２０は、エンコーダ２５，２９の出力信号に基づいて、キャリッジ２８と印刷用紙Ｐとの相対位置を正確に認識可能な構成とされている。
【００３６】
印刷用紙Ｐは、図示しない給紙ローラにより用紙スタッカ２２から給紙されて搬送ローラ２４により搬送され、プラテン板２６の表面上を副走査方向ＳＳへ送られる。
【００３７】
キャリッジ２８は、キャリッジモータ３０により駆動される牽引ベルト３２に牽引されて、ガイドレール３４に沿って主走査方向ＭＳに移動する。主走査方向ＭＳと副走査方向ＳＳとは直交している。
【００３８】
図２は、印刷ヘッド３６を上方から見た際のノズルと光センサ４１との配置を示す透視図である。
【００３９】
印刷ヘッド３６には、淡ブラックインクを吐出するための淡ブラックインクノズル列ＫLと、淡マゼンタインクを吐出するための淡マゼンタインクノズル列ＭLと、淡シアンインクを吐出するための淡シアンインクノズル列ＣLと、主に自然画を印刷する際に用いるブラックインクを吐出するためのフォトブラックインクノズル列ＫPと、濃ブラックインクを吐出するための濃ブラックインクノズル列ＫDと、濃シアンインクを吐出するための濃シアンインクノズル列ＣDと、濃マゼンタインクを吐出するための濃マゼンタインクノズル列ＭDと、イエローインクを吐出するためのイエローインクノズル列ＹDと、が設けられている。尚、この例では、印刷用紙Ｐの搬送方向下流側に１番ノズル＃１が配置されている。
【００４０】
キャリッジ２８に搭載された光センサ４１は、印刷ヘッド３６の最も反ホームポジション側に位置するイエローインクノズル列ＹDの１番ノズル＃１より搬送方向下流側であって、さらに反ホームポジション側に配置されている。この例では、例えば、イエローインクノズル列ＹDの１番ノズルより搬送方向下流側に８．５８ｍｍ、反ホームポジション側に５１．７５ｍｍの位置に設けられている。
【００４１】
ガイドレール３４に沿って移動するキャリッジ２８の移動範囲内における印刷領域外部には、キャリッジ２８に搭載された印刷ヘッド３６の下方にクリーニング機構２００が設けられている。尚、図１においては、クリーニング機構２００はヘッドキャップ２１０のみ示し、他の構成は省略している。
【００４２】
ヘッドキャップ２１０は、機密性のあるキャップであり、印刷をしていないときに印刷ヘッド３６に被せてノズル内のインクの乾燥を防止するものである。そのため、ヘッドキャップ２１０は、キャリッジ２８の待機位置、いわゆるホームポジション側に設けられている。また、ノズルが詰まった場合にも印刷ヘッド３６にヘッドキャップ２１０を被せてノズルからインクを吸引し、クリーニングを実行する。
【００４３】
各ノズルからのインク吐出の有無を判定する光センサ４１については、後に詳述する。
【００４４】
図３は、プリンタ２０の電気的構成を示すブロック図である。
【００４５】
プリンタ２０は、ホストコンピュータ１００から供給された信号を受信する受信バッファメモリ５０と、印刷データを格納するイメージバッファ５２と、プリンタ２０全体の動作を制御するシステムコントローラ５４と、メインメモリ５６とを備えている。
【００４６】
システムコントローラ５４には、キャリッジモータ３０を駆動する主走査ドライバ６１と、搬送モータ３１を駆動する副走査ドライバ６２と、光センサ４１を駆動する光センサドライバ６３と、印刷ヘッド３６を駆動するヘッドドライバ６６とが接続されている。
【００４７】
光センサドライバ６３は、光センサ４１に備えられた発光部４１ａの発光量を調整可能な光量制御部と、同じく光センサ４１に備えられた受光部４１ｂの出力を調整可能な出力制御部とを備えている。
【００４８】
従って、例えば、所定の印刷用紙により反射した光を受けた受光部４１ｂの出力が所定の値となるように、発光部４１ａの発光量又は受光部４１ｂの出力を調整することが可能である。調整は、システムコントローラ５４が光センサドライバ６３を制御することにより行う。
【００４９】
ホストコンピュータ１００のプリンタドライバ（図示せず）は、ユーザの指定した印刷モード（高速印刷モード、高画質印刷モード等）に基づいて、印刷動作を規定する各種のパラメータ値を決定する。このプリンタドライバは、さらに、これらのパラメータ値に基づいて、その印刷を行うための印刷データを生成し、プリンタ２０に転送する。
【００５０】
転送された印刷データは、一旦、受信バッファメモリ５０に蓄えられる。プリンタ２０内では、システムコントローラ５４が、受信バッファメモリ５０に蓄えられた印刷データの中から必要な情報を読み取り、それに基づいて各ドライバに対して制御信号を送る。
【００５１】
イメージバッファ５２には、受信バッファメモリ５０において受信された印刷データを色成分ごとに分解して得られた複数の色成分の印刷データが格納される。
【００５２】
ヘッドドライバ６６は、システムコントローラ５４からの制御信号に従って、イメージバッファ５２から各色成分の印刷データを読み出し、これに応じて印刷ヘッド３６に設けられた各色のノズル列を駆動する。尚、プリンタ２０各部を制御するのは、システムコントローラ５４である。
【００５３】
また、ホストコンピュータ１００から転送される印刷データは、ホストコンピュータ１００からの転送前に色成分ごとに分解されている印刷データであってもよい。
【００５４】
図４は、インク吐出判定用光学式センサの二種類の構成を模式的に示す説明図である。
【００５５】
本発明に係る紙送り誤差検出装置及び印刷装置並びに紙送り誤差検出方法においては、印刷媒体表面の印刷状態に反映される印刷装置の種々の動作状態を検出する印刷動作状態検出装置、特に紙送り誤差検出装置として光学式センサを使用するが、インク吐出判定装置として光学式センサを用いる場合においても光学式センサの構成自体は全く同様であるので、ここでは光学式センサをインク吐出判定用光学式センサとして説明する。
【００５６】
インク吐出判定用光学式センサとしては、図４（ａ）に示すように、照射光Ｌａが印刷媒体としての印刷用紙表面に対し垂直に照射されるように発光部４１ａの向きが設定されている構成のものと、図４（ｂ）に示すように、照射光４１ａが印刷媒体としての印刷用紙表面に対し斜めに照射されるように発光部４１ａの向きが設定されている構成のものとがある。
【００５７】
ノズルからのインク吐出の有無を判定するための光センサ４１は、図４（ａ）及び図４（ｂ）に示すように、発光部４１ａと受光部４１ｂとを備えている。本実施の形態においては、受光部４１ｂとして、主に反射光の拡散反射成分を受光するための受光部が一つ設けられた例を示しているが、このほかに、主に反射光の正反射成分を受光するための別の受光部を設けた構成としてもよい。
【００５８】
発光部４１ａは、印刷用紙に向けて光を照射するための発光装置である。インク吐出判定の際には、ノズルから吐出したインクにより各ノズルに対応してそれぞれ印刷形成される印刷ブロックを含む印刷パターンが印刷されているべき印刷用紙の領域に向けて光が照射される。
【００５９】
光センサ４１の通常の構成においては、発光部からの照射光の焦点が印刷媒体表面上に合わせられたときに、当該照射光により印刷用紙が照射される領域（以下、「スポット」という。）内に上記印刷パターンの印刷ブロックＢＬが１個含まれるようにスポットが設定されている。
【００６０】
尚、印刷パターンの詳細は、後述する。
【００６１】
発光部４１ａには、発光ダイオード、レーザダイオード、白熱電球等の任意の発光装置を用いることができる。発光部４１ａからの照射光の色は、印刷パターン等の判定対象印刷画像の色に対して補色の関係にある色であることが好ましい。例えば、シアンの印刷画像を検出するには赤色の照射光を用い、マゼンタの印刷画像を検出するためには緑色の照射光を用い、イエローの印刷画像を検出するには青色の照射光を用いるとよい。
【００６２】
照射光の色と印刷画像の色とを補色の関係にすると、そうでない場合に比べて高いレベルの出力信号を得ることができる。
【００６３】
従って、いずれの色の印刷画像に対しても安定した出力を得るためには、照射光が白色である発光装置を用いるとよい。
【００６４】
受光部４１ｂは、印刷パターンにより反射された反射光を検出して電気的信号に変換する光電変換装置である。受光素子としては、フォトダイオード、フォトトランジスタ等を用いるとよい。好ましくは、可視光に対し良好な感度特性を有する受光素子を用いるとよい。
【００６５】
主に拡散反射成分を受光するための受光部４１ｂの位置は、発光部４１ａに対し正反射の位置にないことが望ましい。
【００６６】
例えば、図４（ａ）に示すように、発光部４１ａからの照射光が印刷媒体としての印刷用紙表面に対し垂直に照射されるように発光部４１ａの向きを設定すると共に、印刷用紙表面から斜めに反射された反射光を検出するように受光部４１ｂの向きを設定するとよい。又は、図４（ｂ）に示すように、発光部４１ａからの照射光が印刷媒体としての印刷用紙表面に対し斜めに照射されるように発光部４１ａの向きを設定すると共に、印刷用紙表面に対し垂直な反射光を検出するように受光部４１ｂの向きを設定してもよい。
【００６７】
特に光沢系印刷用紙のように、表面にコーティング層が形成されている印刷媒体においては、入射光の大半が表面のコーティング層により正反射されてしまうが、受光部４１ｂを発光部４１ａに対して正反射の位置に取り付けない場合は、コーティング層の下にある印刷ブロックの色も確実に判別することができる。
【００６８】
発光部４１ａから出射された照射光は、印刷ブロックが印刷された印刷用紙により反射され、その反射光の拡散反射成分が受光部４１ｂに到達する。受光部４１ｂは、検出した反射光の強度に応じた電気的信号を発生し、出力信号として出力する。
【００６９】
この出力信号のレベルが予め設定された閾値より小さい場合には、発光部４１ａからの照射光により照射された印刷ブロックを形成すべきノズルからインクが正常に吐出されたと判定し、出力信号のレベルが閾値以上である場合には、当該ノズルからインクが正常に吐出されなかったと判定する。
【００７０】
このとき、光センサ４１は、例えば、所定の未使用印刷用紙や、所定の印刷媒体上に印刷された各色の印刷パターン等により反射された反射光を検出した受光部４１ｂからの出力信号のレベルが所定値となるように、システムコントローラ５４によって制御される光センサドライバ６３の光量制御部により発光部４１ａの発光量が調整されるか、又は、光センサドライバ６３の出力制御部により受光部４１ｂの出力が調整されている。
【００７１】
尚、複数の発光装置を比較すると、同じ白色の発光装置であっても個体差があり、特定の印刷パターンを照射した際の出力値に差が生ずる。
【００７２】
従って、実際に搭載された光センサと、実際の印刷媒体と、実際のインクにより印刷された印刷パターンとを使用して、発光部の発光量又は受光部の出力を調整することにより、発光装置の個体差、印刷媒体の種類、インク色の種類等により発生し得る誤判定を防止することが可能となる。
【００７３】
図５は、一色のインクにより印刷形成された検査用パターンの一例を模式的に示す説明図であり、図６は、検査用パターンを構成する検査用印刷ブロックＢＬを模式的に示す説明図である。
【００７４】
インク吐出検査に際しては、先ず、検査用パターンを作成する。この検査用パターンは、各色のインクを吐出するノズル列によりインク色ごとにそれぞれ印刷形成される検査用パターンである。即ち、総てのノズルのインク吐出状態を検査する場合には、印刷ヘッド３６が有するノズル列から吐出されるインクの色数分の検査用パターンが形成される。
【００７５】
従って、本実施の形態においては、八つの検査用パターンが作成されることになる。また、一色のノズル列にＮ個のノズルが配列されていて、それらＮ個のノズルの検査を行う場合の検査用パターンには、Ｎ個の印刷ブロックＢＬが印刷されることになる。
【００７６】
検査用パターンは、各ノズルから吐出されるインクによりノズルごとにそれぞれ形成される複数の検査用印刷ブロックＢＬにより構成され、一つの印刷ブロックＢＬは、図６に示すように、複数のインクドットＰＸにより形成される。
【００７７】
一つの印刷用検査ブロックＢＬは一つのノズルから吐出されるインクのみによって印刷形成されるので、一つの印刷用検査ブロックＢＬはそれに対応する一つのノズルの検査に用いられる。図５は、５４個のノズルを有するノズル列により形成される検査用パターンを示している。
【００７８】
この検査用パターンは、主走査方向（左右方向）に９個、副走査方向に６個の検査用印刷ブロックＢＬが配置されて構成されている。即ち、主走査方向に配列された９個の検査用印刷ブロックにより構成される検査用印刷ブロックアレイが、副走査方向に６段形成されている。
【００７９】
搬送方向の最も下流側に位置する１段目の検査用印刷ブロックアレイは、９番ノズル＃９から１番ノズル＃１までにより印刷され、２段目の検査用印刷ブロックアレイは、１８番ノズル＃１８から１０番ノズル＃１０までにより印刷され、以下同様に、６段目の検査用印刷ブロックアレイは５４番ノズル＃５４から４６番ノズル＃４６までにより印刷される。
【００８０】
検査用パターンを構成する各検査用印刷ブロックアレイの印刷に際しては、所定の位置に位置決めされた印刷用紙に対し、例えばキャリッジ２８を図５における左側から右側へ走査しつつ、５４番、４５番、３６番、２７番、１８番、９番ノズル＃５４、＃４５、＃３６、＃２７、＃１８、＃９からインクを吐出して所定数のドットを形成し、検査用印刷ブロックＢＬの主走査方向の幅の分だけ印刷する。キャリッジ２８は走査を継続しつつ、５３番、４４番、３５番、２６番、１７番、８番ノズル＃５３、＃４４、＃３５、＃２６、＃１７、＃８からインクを吐出して、第２列の検査用印刷ブロックを形成するための所定数のドットによりドット列又はラインを形成する。
【００８１】
このように、ノズル列を構成する各ノズルは、検査用パターンの主走査方向に配置される検査用印刷ブロック数に等しい数ごとのノズルを順にそれぞれグループ化してサブノズルグループとされ、各サブノズルグループの副走査方向において同一の順番に位置するノズルごとにインクを吐出して各検査用印刷ブロックを形成していく。
【００８２】
図５における左側から右側へのキャリッジ２８による走査が終了すると、印刷用紙を副走査方向にノズルピッチ分だけ搬送する。その後、右側から左側へキャリッジ２８による走査を行い、直前の走査と逆の順序で所定のノズルからインクを吐出してドット列又はラインを形成する。
【００８３】
このように、印刷用紙を副走査方向にノズルピッチ分だけ搬送する動作と、各サブノズルグループの副走査方向における同一の順番に位置するノズルごとにインクを吐出しながら主走査方向における走査を行う動作とを繰り返し、９本のドット列又はラインを形成すると検査用印刷ブロックが形成される。総てのノズルから正常にインクが吐出されると、最終的に５４個の検査用印刷ブロックを有する検査用パターンが印刷される。
【００８４】
尚、図５からも分かるように、主走査方向（左右方向）において相互に隣接する検査用印刷ブロック、例えば、５４番ノズル＃５４により形成された検査用印刷ブロックと、５３番ノズル＃５３により形成された検査用印刷ブロックとは、副走査方向にノズルピッチ分だけずれた位置に印刷される。
【００８５】
各検査用印刷ブロックを形成するドットは、相互に隣接する検査用印刷ブロック間においても等間隔に形成され、各検査用印刷ブロック間には余白部分は生じない。
【００８６】
本実施の形態では、キャリッジ２８の各走査の間に実行される印刷用紙の搬送における搬送量をノズルピッチ分としたが、当該搬送量は任意であり、例えば搬送量をノズルピッチの半分とすると、各検査用印刷ブロックを構成するドットの数が多くなり、各検査用印刷ブロックの濃度は高くなる。このとき、各検査用印刷ブロックを構成するドット列又はラインの数は１８本となる。
【００８７】
図７は、光センサによる走査の際の検査用パターン上におけるスポットの軌跡を模式的に示す説明図である。尚、図５の説明において前述したように、主走査方向において相互に隣接する検査用印刷ブロックは、厳密には、副走査方向にノズルピッチ分だけずれた位置に印刷されるのであるが、図７においては簡略化のため、各検査用印刷ブロックがずれのないマトリクス状に配置形成された状態の検査用パターン７１を示している。
【００８８】
インク吐出の有無の判定に際しては、キャリッジ２８（図１）に取り付けられた光センサ４１と印刷用紙Ｐとを相対的に移動させ、検査用印刷ブロックＢＬ上を光センサ４１により走査する。
【００８９】
このとき、光センサ４１の発光部４１ａからの照射光Ｌａ（図４）のスポットを、図７の軌跡ＸＹのように各検査用印刷ブロックＢＬに順次当てていき、検査用印刷ブロックＢＬからの反射光Ｌｂを受光部４１ｂにより検出し、検出した反射光Ｌｂの強度に応じて受光部４１ｂから出力された電気信号のレベルを所定の閾値と比較することによりインク吐出の有無を判定する。出力信号レベルと所定の閾値との比較は、各検査用印刷ブロックＢＬごとに行う。
【００９０】
尚、図２に示すように、本実施の形態においては、光センサ４１は、印刷ヘッド３６が有する総てのノズルより下流側に配置されているので、下流側の一部の印刷ブロックＢＬについては、上流側の一部の印刷ブロックＢＬを印刷する際のキャリッジ２８の移動動作において光センサ４１による走査を行い、同時にインク吐出の有無を判定する。
【００９１】
尚、光センサ４１の発光部４１ａからの照射光により印刷用紙が照射される領域は、印刷用紙上において円形のスポットとなるが、本実施の形態においては、スポット内に検査用印刷ブロックＢＬが１個含まれるようにスポットが設定されている。
【００９２】
図８は、インク吐出の有無の判定における出力信号レベルと判定閾値との関係を示すグラフである。
【００９３】
目詰まりによりインクが吐出されないノズルが存在する場合、印刷用紙上に形成される検査用印刷ブロックＢＬのうち当該ノズルに対応する印刷ブロックは、インクが滴下されない空白印刷ブロックＢＬａとなる。
【００９４】
光センサ４１の発光部４１ａから出射された照射光のスポットにより照射される印刷ブロックが空白印刷ブロックＢＬａである場合は、光センサ４１の受光部４１ｂが検出する反射光Ｌｂの強度が増加するので、検出した反射光Ｌｂの強度に応じて変換される出力信号レベルは上昇する。
【００９５】
一方、スポットにより照射される印刷ブロックが正常に印刷された正常印刷ブロックＢＬｂである場合は、受光部４１ｂが検出する反射光Ｌｂの強度が減少するので、検出した反射光Ｌｂの強度に応じて変換される出力信号レベルは低下する。
【００９６】
即ち、発光部４１ａにより形成されたスポットが空白印刷ブロックＢＬａを走査した際の出力信号レベルＶＬは相対的に高い値となり、スポットが正常印刷ブロックＢＬｂを走査した際の出力信号レベルＶ０は相対的に低い値となる。
【００９７】
従って、図８に示すように、空白印刷ブロックＢＬａに対応する出力信号レベルＶＬと正常印刷ブロックＢＬｂに対応する出力信号レベルＶ０との間に、判定閾値Ｖthを設定しておくことにより、出力信号レベルと判定閾値Ｖthとを比較して、各ノズルにおけるインク吐出の有無を正確に判定することができる。
【００９８】
以上のようなインク吐出の有無の判定を行う際におけるハードウェアの動作は、以下の通りである。
【００９９】
システムコントローラ５４（図３）の判定部５４ａは、インク吐出の有無を判定するために、光センサ４１からの出力信号レベルと、予め設定されメインメモリ５６に記憶された判定閾値Ｖthとを比較する。
【０１００】
出力信号レベルが閾値Ｖthより小さい場合、スポットに含まれている印刷ブロックは正常に印刷された正常印刷ブロックであり、当該印刷ブロックの印刷に用いられたノズルからはインクが正常に吐出されていると判定する。逆に、出力信号レベルが閾値Ｖthより大きい場合、スポットに含まれている印刷ブロックはインクが滴下されなかった空白印刷ブロックであり、当該印刷ブロックの印刷に用いられたノズルからはインクが正常に吐出されていないと判定する。
【０１０１】
プリンタ２０は、発光部４１ａからの照射光により印刷用紙が照射される領域、即ち、スポット内に一つの印刷ブロックが含まれる構成とすると共に、リニアエンコーダ２９の出力とロータリーエンコーダ２５の出力とにより、キャリッジ２８と印刷用紙との相対位置を認識可能とし、さらに、総てのノズルより搬送方向の下流側に設けた光センサ４１と各ノズルとの相対位置が予め正確に調整され且つ認識されているものとする。
【０１０２】
従って、インク吐出の有無を判定するために、キャリッジ２８の走査動作によって、光センサ４１による検査用印刷ブロックの走査を行った結果、インクが滴下されなかった空白印刷ブロックが検出された場合には、リニアエンコーダ２９及びロータリーエンコーダ２５の出力に基づいて、当該空白印刷ブロックに対応するノズルを、インク吐出が正常に行われない異常ノズルとして特定することが可能である。
【０１０３】
インク吐出が正常に行われない異常ノズルが特定されたときは、当該異常ノズルのみに対しフラッシング等を実行して良好な状態に回復させたり、あるいは、当該異常ノズルが本来形成すべきドットを他のノズルを用いて形成させて印刷することも可能である。
【０１０４】
ところで、図１及び図３を参照した印刷装置の全体構成の説明において述べたように、印刷装置における印刷媒体、例えば印刷用紙は、紙送りモータ（搬送モータ３１）及び紙送りローラ（搬送ローラ２４）によって搬送される。
【０１０５】
また、紙送り動作における紙送り量は、印刷装置全体の動作を制御するシステムコントローラ５４からの指令に基づき、紙送り方向（副走査方向）における駆動動作を制御する副走査ドライバ６２によって制御される。
【０１０６】
紙送りモータ及び紙送りローラは、システムコントローラ５４及び副走査ドライバ６２による制御に従って正確に動作するが、紙送り動作における紙送り量は、最終的には紙送りローラによって印刷媒体に伝達される。
【０１０７】
従って、製造プロセスばらつきに起因する偏心や使用状態に起因する偏摩耗が紙送りローラに生じている場合には、指令された紙送り量と実際の紙送り量との間に誤差が発生することとなる。
【０１０８】
偏心又は偏摩耗の生じた紙送りローラは部位によって半径が異なり、一定の中心角に対する弧の長さも部位によって異なるので、実際の円周の長さが、設計データ上の半径又は均等に摩耗したときの半径から想定される円周の長さとは異なったものとなるからである。
【０１０９】
紙送り量の誤差、即ち、紙送り誤差は、紙送り方向におけるインク滴下位置のずれを発生させ、印刷画質の低下を招くため、印刷装置においては、紙送り誤差が最小限に抑制されるように紙送り制御を調整する必要がある。
【０１１０】
そのためには、先ず、個々の印刷装置においてどの程度の紙送り誤差が生じているかを正確に検出する必要がある。
【０１１１】
そこで、本発明に係る紙送り誤差検出装置及び印刷装置並びに紙送り誤差検出方法においては、印刷ヘッドの上端部ノズル列と下端部ノズル列とを使用して一定の印刷パターンを重ねて印刷媒体表面に印刷し、印刷媒体表面の印刷状態から紙送り誤差を検出し、紙送り動作において紙送り誤差を最小限に抑制するための最適な補正値を決定する。
【０１１２】
尚、上述のインク吐出判定装置は、反射光の強度に反映される印刷媒体表面の印刷状態を検出するものであるから、ノズルからのインク吐出状態の判定に限らず、印刷媒体表面の印刷状態に反映される印刷装置の種々の動作状態を検出する印刷動作状態検出装置として使用可能であるので、本発明に係る紙送り誤差検出装置及び印刷装置並びに紙送り誤差検出方法においては、紙送り誤差を反映する印刷パターンを光学式センサにより走査することにより紙送り誤差を検出する。
【０１１３】
図９は、本発明に係る紙送り誤差検出装置及び印刷装置並びに紙送り誤差検出方法において使用する印刷ヘッドの上端部ノズル列及び下端部ノズル列の形成領域を示す平面図である。尚、図面の簡略化のため、図９においては、印刷ヘッドのノズル列を１列分だけ示している。
【０１１４】
紙送り方向（副走査方向）における印刷ヘッド３６の長さが１インチ（inch）であるとすると、本発明に係る紙送り誤差検出装置及び印刷装置並びに紙送り誤差検出方法では、印刷ヘッド３６を副走査方向において４等分して長さ１／４インチの４個の部分ノズル列に区切る。そして、それら４個の部分ノズル列のうち下端部ノズル列３６Ｒ及び上端部ノズル列３６Ａを使用して、後述する印刷パターンを印刷する。
【０１１５】
また、本実施の形態においては、副走査方向、即ち、紙送り方向下流側に上端部ノズル列３６Ａが、上流側に下端部ノズル列３６Ｒが位置するように印刷ヘッドを配置するものとする。
【０１１６】
図９からも明らかなように、印刷媒体を副走査方向に３／４インチだけ紙送りすると、紙送り前に下端部ノズル列３６Ｒの直下に位置していた印刷媒体領域はちょうど上端部ノズル列３６Ａの直下に位置することとなる。もし当該領域が上端部ノズル列３６Ａの直下に位置していないとすれば、紙送り量に誤差が生じていることになる。
【０１１７】
尚、本実施の形態における印刷ヘッド３６のノズルピッチ、即ち、ノズルの配置間隔は１／１８０インチであるものとする。
【０１１８】
図１０は、本発明に係る紙送り誤差検出装置及び印刷装置並びに紙送り誤差検出方法において印刷する紙送り誤差検出用印刷パターンの構成を模式的に示す平面図である。
【０１１９】
本発明に係る紙送り誤差検出装置及び印刷装置並びに紙送り誤差検出方法においては、先ず、下端部ノズル列３６Ｒによりライン状の基準パターンＲ（Ｎ）を印刷した後、下端部ノズル列３６Ｒの直下に位置していた印刷媒体領域がちょうど上端部ノズル列３６Ａの直下に位置することとなる紙送り量の理論値に補正値を適宜加算しながら紙送り動作を実行する。
【０１２０】
ここで、紙送り量の理論値とは、紙送りローラが偏心又は偏摩耗等の生じていない設計データ通りの寸法のものであると仮定した場合において、印刷しようとする画像データから算出された紙送り量の値をいう。尚、以下の実施の形態の説明において、紙送り量の理論値を、基本紙送り量と称することがある。
【０１２１】
そして、基準パターンＲ（Ｎ）と同様のライン状の調整用パターンＡ（Ｎ）を上端部ノズル列３６Ａにより基準パターンＲ（Ｎ）に重ねて印刷する。
【０１２２】
このとき、紙送り誤差が最小限に抑制されている場合、即ち、紙送り量に全く誤差が生じていない場合には、図１０（ｂ）に示すように、基準パターンＲ（Ｎ）と調整用パターンＡ（Ｎ）とはちょうど重なり合って印刷され、基準パターンＲ（Ｎ）及び調整用パターンＡ（Ｎ）からなる紙送り誤差検出用印刷パターンの印刷濃度は最小となる。
【０１２３】
一方、ノズルピッチの範囲内で最大限の紙送り誤差が生じている場合、即ち、ノズルピッチの１／２だけ紙送り誤差が生じている場合には、図１０（ａ）に示すように、基準パターンＲ（Ｎ）を構成するラインと調整用パターンＡ（Ｎ）を構成するラインとが交互に印刷され、基準パターンＲ（Ｎ）及び調整用パターンＡ（Ｎ）からなる紙送り誤差検出用印刷パターンの印刷濃度は最大となる。
【０１２４】
本発明に係る紙送り誤差検出装置及び印刷装置並びに紙送り誤差検出方法は、上述のようなライン状の基準パターンＲ（Ｎ）及び調整用パターンＡ（Ｎ）からなる紙送り誤差検出用印刷パターンの印刷濃度を検出することにより実際に発生している紙送り誤差を検出し、紙送り動作を実行する際に紙送り量の理論値に加算すべき補正値を決定する。
【０１２５】
具体的には、紙送り量の理論値に加算する補正値をノズルピッチの±１／２の範囲で変動させながら、紙送り動作の前に基準パターンＲ（Ｎ）を、紙送り動作の後に調整用パターンＡ（Ｎ）をそれぞれ印刷し、各補正値に対応する紙送り誤差検出用印刷パターンの印刷濃度を検出して、最も印刷濃度の低い紙送り誤差検出用印刷パターンを特定することにより、紙送り量の理論値に加算すべき補正値の最適値を決定する。
【０１２６】
補正値を±１／２ノズルピッチの範囲、即ち、１ノズルピッチの範囲で変動させることとしたのは、その範囲で補正値を変動させれば、必ずいずれかの値の補正値を用いたときに、基準パターンＲ（Ｎ）と調整用パターンＡ（Ｎ）とがちょうど重なり合って印刷されるはずだからである。
【０１２７】
図１１は、本発明の第１の実施の形態に係る紙送り誤差検出装置及び印刷装置の動作並びに紙送り誤差検出方法の過程を模式的に示す説明図である。
【０１２８】
本発明の第１の実施の形態に係る紙送り誤差検出装置及び印刷装置並びに紙送り誤差検出方法においては、基本紙送り量、即ち、紙送り量の理論値を３／４＝５４０／７２０インチとし、この基本紙送り量に加算する補正値を±１／２ノズルピッチの範囲で変動させながら、「基準パターンＲ（Ｎ）の印刷−紙送り動作−調整用パターンＡ（Ｎ）」という一連の動作及び過程を繰り返すことにより、各補正値に対応する紙送り誤差検出用印刷パターンを印刷する。
【０１２９】
上述のように、本実施の形態における印刷ヘッド３６のノズルピッチは１／１８０インチであるものとしているので、紙送り量の理論値に加算する補正値は、±１／２ノズルピッチの範囲、即ち、±１／３６０インチの範囲で変動させる。補正値の１段階の変動幅は可能な限り小さい方が、補正値の最適値をより正確に決定することができるが、本実施の形態においては、１／１６ノズルピッチ、即ち、１／２８８０インチずつ補正値を変動させていくこととする。従って、補正値は、±８／２８８０インチの範囲で変動させることとなる。
【０１３０】
本発明の第１の実施の形態に係る紙送り誤差検出装置及び印刷装置の動作並びに紙送り誤差検出方法の過程の具体的な内容は、以下の通りである。
【０１３１】
図１１に示すように、先ず最初に、印刷ヘッドの初期位置Ｐ（−８）において、印刷ヘッドの下端部ノズル列により基準パターンＲ（−８）を印刷媒体に印刷する。
【０１３２】
基準パターンＲ（−８）を印刷後、基本紙送り量に補正値を加算した紙送り量（５４０／７２０−８／２８８０）インチだけ印刷媒体を紙送りし、印刷ヘッドの位置Ｐ（−７）において、基準パターンＲ（−８）に重なるように印刷ヘッドの上端部ノズルにより調整用パターンＡ（−８）を印刷すると同時に、基準パターンＲ（−８）及び調整用パターンＡ（−８）より３／４＝５４０／７２０インチだけ紙送り方向上流側に下端部ノズル列により基準パターンＲ（−７）を印刷する。
【０１３３】
従って、調整用パターンＡ（−８）は、基準パターンＲ（−８）に対して８／２８８０インチだけ紙送り方向下流側にずれて印刷されていることとなる。
【０１３４】
尚、図１１においては、理解を容易にするため、紙送り動作の前後における印刷ヘッド及び印刷パターンの位置を印刷ヘッドの幅だけ左右にずらして表示しているが、実際には、印刷パターンは、主走査方向において同一の位置に印刷されている。
【０１３５】
調整用パターンＡ（−８）及び基準パターンＲ（−７）を印刷後、基本紙送り量に補正値を加算した紙送り量（５４０／７２０−７／２８８０）インチだけ印刷媒体を紙送りし、印刷ヘッドの位置Ｐ（−６）において、基準パターンＲ（−７）に重なるように印刷ヘッドの上端部ノズルにより調整用パターンＡ（−７）を印刷すると同時に、基準パターンＲ（−７）及び調整用パターンＡ（−７）より３／４＝５４０／７２０インチだけ紙送り方向上流側に下端部ノズル列により基準パターンＲ（−６）を印刷する。
【０１３６】
従って、調整用パターンＡ（−７）は、基準パターンＲ（−７）に対して７／２８８０インチだけ紙送り方向下流側にずれて印刷されていることとなる。
【０１３７】
以下、基本紙送り量、即ち、紙送り量の理論値５４０／７２０インチに加算する補正値を１／２８８０インチずつ変動させながら、上記同様の動作及び過程を繰り返す。
【０１３８】
最後は、印刷ヘッドの位置Ｐ（＋８）において調整用パターンＡ（＋７）及び基準パターンＲ（＋８）を印刷後、基本紙送り量に補正値を加算した紙送り量（５４０／７２０＋８／２８８０）インチだけ印刷媒体を紙送りし、印刷ヘッドの位置Ｐ（＋９）において、基準パターンＲ（＋８）に重なるように印刷ヘッドの上端部ノズルにより調整用パターンＡ（＋８）を印刷すると、基準パターンＲ（Ｎ）及び調整用パターンＡ（Ｎ）からなる紙送り誤差検出用印刷パターンの印刷に関する一連の動作及び過程が終了する。
【０１３９】
尚、調整用パターンＡ（＋８）は、基準パターンＲ（＋８）に対して８／２８８０インチだけ紙送り方向上流側にずれて印刷されていることとなる。
【０１４０】
そして、紙送り誤差検出用印刷パターンの印刷と並行して、又は、紙送り誤差検出用印刷パターンの印刷終了後に、各紙送り誤差検出用印刷パターンを光学式センサにより走査して、各紙送り誤差検出用印刷パターンの印刷濃度をそれぞれ検出する。即ち、光学式センサの発光部からの照射光のスポット１０を各紙送り誤差検出用印刷パターンに順次当てていき、各紙送り誤差検出用印刷パターンからの反射光を受光部により検出し、検出した反射光の強度に応じた電圧レベルの受光出力信号を変換生成する。
【０１４１】
前述の原理に従って、光学式センサが印刷濃度の低い印刷パターンを走査したときには、受光出力信号レベルは高くなり、光学式センサが印刷濃度の高い印刷パターンを走査したときには、受光出力信号レベルは低くなる。
【０１４２】
ここでは、紙送り誤差が最小限に抑制されて印刷された紙送り誤差検出用印刷パターン、即ち、印刷濃度が最低の紙送り誤差検出用印刷パターンを特定したいのであるから、光学式センサによる走査の結果、最も高い受光出力信号レベルが得られた紙送り誤差検出用印刷パターンを、紙送り誤差判定部としての判定部５４ａ（図３参照）により特定する。
【０１４３】
そして、特定された最低濃度の紙送り誤差検出用印刷パターンを印刷する直前の紙送り動作において紙送り量の理論値に加算された補正値が、当該印刷装置における紙送り誤差を最小限に抑制するための最適補正値ということになる。この最適補正値の決定も、紙送り誤差判定部としての判定部５４ａによって行うものとするとよい。
【０１４４】
従って、当該印刷装置において、以後、印刷を実行する際には、指令する紙送り量の理論値に当該最適補正値を加算することにより、紙送り誤差を最小限に抑制し、印刷画質の向上を図ることができる。
【０１４５】
尚、印刷濃度が最低の紙送り誤差検出用印刷パターンの特定は、光学式センサを使用せずに、目視によって行ってもよい。
【０１４６】
図１２は、本発明の第２の実施の形態に係る紙送り誤差検出装置及び印刷装置の動作並びに紙送り誤差検出方法の過程を模式的に示す説明図である。
【０１４７】
本発明の第２の実施の形態に係る紙送り誤差検出装置及び印刷装置並びに紙送り誤差検出方法においては、紙送り量の理論値、即ち、基本紙送り量を第１の実施の形態の１／３である１／４＝１８０／７２０インチとし、この基本紙送り量に補正値を加算する頻度を３回の紙送り動作につき１回とし、基本紙送り量に加算する補正値を±１／２ノズルピッチの範囲で変動させながら、「基準パターンＲ（Ｎ）の印刷−紙送り動作−調整用パターンＡ（Ｎ）」という動作及び過程を繰り返すことにより、各補正値に対応する紙送り誤差検出用印刷パターンを印刷する。
【０１４８】
第２の実施の形態においても、紙送り量の理論値に加算する補正値は、±１／２ノズルピッチの範囲、即ち、±１／３６０インチの範囲で変動させることとし、補正値の１段階の変動幅は、１／１６ノズルピッチ、即ち、１／２８８０インチとする。従って、補正値は、±８／２８８０インチの範囲で変動させることとなる。
【０１４９】
本発明の第２の実施の形態に係る紙送り誤差検出装置及び印刷装置の動作並びに紙送り誤差検出方法の過程の具体的な内容は、以下の通りである。
【０１５０】
図１２に示すように、先ず最初に、印刷ヘッドの初期位置Ｐ（−８−２）において、印刷ヘッドの下端部ノズル列により基準パターンＲ（−８−２）を印刷媒体に印刷する。
【０１５１】
基準パターンＲ（−８−２）を印刷後、補正値を加算しない基本紙送り量１８０／７２０インチだけ印刷媒体を紙送りし、印刷ヘッドの位置Ｐ（−８−１）において、印刷ヘッドの下端部ノズル列により基準パターンＲ（−８−１）を印刷する。
【０１５２】
基準パターンＲ（−８−１）を印刷後、補正値を加算しない基本紙送り量１８０／７２０インチだけ印刷媒体を紙送りし、印刷ヘッドの位置Ｐ（−８）において、印刷ヘッドの下端部ノズル列により基準パターンＲ（−８）を印刷する。
【０１５３】
従って、ここまでの動作及び過程により、３個の基準パターンＲ（−８−２）、Ｒ（−８−１）、Ｒ（−８）が、補正値を加算しない一定の基本紙送り量ごとに印刷されたことになる。
【０１５４】
尚、図１２においても、理解を容易にするため、紙送り動作の前後における印刷ヘッド及び印刷パターンの位置を印刷ヘッドの幅だけ左右にずらして表示しているが、実際には、印刷パターンは、主走査方向において同一の位置に印刷されている。
【０１５５】
基準パターンＲ（−８）を印刷後、基本紙送り量に補正値を加算した紙送り量（１８０／７２０−８／２８８０）インチだけ印刷媒体を紙送りし、印刷ヘッドの位置Ｐ（−７−２）において、基準パターンＲ（−８−２）に重なるように印刷ヘッドの上端部ノズルにより調整用パターンＡ（−８−２）を印刷すると同時に、基準パターンＲ（−８−２）及び調整用パターンＡ（−８−２）より３／４＝５４０／７２０インチだけ紙送り方向上流側に下端部ノズル列により基準パターンＲ（−７−２）を印刷する。
【０１５６】
調整用パターンＡ（−８−２）及び基準パターンＲ（−７−２）を印刷後、補正値を加算しない基本紙送り量１８０／７２０インチだけ印刷媒体を紙送りし、印刷ヘッドの位置Ｐ（−７−１）において、基準パターンＲ（−８−１）に重なるように印刷ヘッドの上端部ノズルにより調整用パターンＡ（−８−１）を印刷すると同時に、基準パターンＲ（−８−１）及び調整用パターンＡ（−８−１）より３／４＝５４０／７２０インチだけ紙送り方向上流側に下端部ノズル列により基準パターンＲ（−７−１）を印刷する。
【０１５７】
調整用パターンＡ（−８−１）及び基準パターンＲ（−７−１）を印刷後、補正値を加算しない基本紙送り量１８０／７２０インチだけ印刷媒体を紙送りし、印刷ヘッドの位置Ｐ（−７）において、基準パターンＲ（−８）に重なるように印刷ヘッドの上端部ノズルにより調整用パターンＡ（−８）を印刷すると同時に、基準パターンＲ（−８）及び調整用パターンＡ（−８）より３／４＝５４０／７２０インチだけ紙送り方向上流側に下端部ノズル列により基準パターンＲ（−７）を印刷する。
【０１５８】
従って、３個の基準パターンＲ（−７−２）、Ｒ（−７−１）、Ｒ（−７）は、補正値を加算しない一定の基本紙送り量ごとに印刷されたことになるが、基準パターンＲ（−８）と基準パターンＲ（−７−２）との間の紙送り量は、基本紙送り量に補正値を加算した紙送り量（１８０／７２０−８／２８８０）インチとなっている。即ち、３個の基準パターンＲ（−８−２）、Ｒ（−８−１）、Ｒ（−８）のグループと、３個の基準パターンＲ（−７−２）、Ｒ（−７−１）、Ｒ（−７）のグループとは、（３×１８０／７２０−８／２８８０）＝（５４０／７２０−８／２８８０）インチだけずれて印刷されていることとなる。
【０１５９】
一方、３個の調整用パターンＡ（−８−２）、Ａ（−８−１）、Ａ（−８）のグループは、３個の基準パターンＲ（−８−２）、Ｒ（−８−１）、Ｒ（−８）のグループに対して８／２８８０インチだけ紙送り方向下流側にずれて印刷されていることとなる。
【０１６０】
以下、３回の紙送り動作につき１回の紙送り動作において、基本紙送り量の理論値１８０／７２０インチに加算する補正値を１／２８８０インチずつ変動させながら、上記同様の動作及び過程を繰り返す。
【０１６１】
一連の動作及び過程の最終段階では、印刷ヘッドの位置Ｐ（＋８）において調整用パターンＡ（＋７）及び基準パターンＲ（＋８）を印刷後、基本紙送り量に補正値を加算した紙送り量（１８０／７２０＋８／２８８０）インチだけ印刷媒体を紙送りし、印刷ヘッドの位置Ｐ（＋９−２）において、基準パターンＲ（＋８−２）に重なるように印刷ヘッドの上端部ノズルにより調整用パターンＡ（＋８−２）を印刷する。
【０１６２】
調整用パターンＡ（＋８−２）を印刷後、補正値を加算しない基本紙送り量１８０／７２０インチだけ印刷媒体を紙送りし、印刷ヘッドの位置Ｐ（＋９−１）において、基準パターンＲ（＋８−１）に重なるように印刷ヘッドの上端部ノズルにより調整用パターンＡ（＋８−１）を印刷する。
【０１６３】
調整用パターンＡ（＋８−１）を印刷後、補正値を加算しない基本紙送り量１８０／７２０インチだけ印刷媒体を紙送りし、印刷ヘッドの位置Ｐ（＋９）において、基準パターンＲ（＋８）に重なるように印刷ヘッドの上端部ノズルにより調整用パターンＡ（＋８）を印刷すると、基準パターンＲ（Ｎ）及び調整用パターンＡ（Ｎ）からなる紙送り誤差検出用印刷パターンの印刷に関する一連の動作及び過程が終了する。
【０１６４】
そして、紙送り誤差検出用印刷パターンの印刷と並行して、又は、紙送り誤差検出用印刷パターンの印刷終了後に、各紙送り誤差検出用印刷パターンを光学式センサにより走査して、各紙送り誤差検出用印刷パターンの印刷濃度をそれぞれ検出する。即ち、光学式センサの発光部からの照射光のスポット１０を各紙送り誤差検出用印刷パターンに順次当てていき、各紙送り誤差検出用印刷パターンからの反射光を受光部により検出し、検出した反射光の強度に応じた電圧レベルの受光出力信号を変換生成する。
【０１６５】
前述のように、光学式センサが印刷濃度の低い印刷パターンを走査したときには、受光出力信号レベルは高くなり、光学式センサが印刷濃度の高い印刷パターンを走査したときには、受光出力信号レベルは低くなる。
【０１６６】
ところで、上述のように、第２の実施の形態においては、基本紙送り量に補正値を加算した紙送り量の紙送り動作の直前又は直後に連続して印刷された３個の基準パターンＲ（Ｎ）とそれらに対応する３個の調整用パターンＡ（Ｎ）とからなる３個の紙送り誤差検出用印刷パターンにおいては、各基準パターンＲ（Ｎ）と各調整用パターンＡ（Ｎ）とのずれの量は、理論上、同一である。
【０１６７】
従って、基本紙送り量に補正値を加算した紙送り量の紙送り動作の直前又は直後に連続して印刷された３個の紙送り誤差検出用印刷パターンの印刷濃度は、理論上、同一になるはずであり、それら３個の紙送り誤差検出用印刷パターンを走査した結果得られる受光出力信号レベルも同一になるはずである。
【０１６８】
しかしながら、紙送りローラに偏心又は偏摩耗等が生じていた場合には、それら３個の紙送り誤差検出用印刷パターンの間でも、印刷濃度、受光出力信号レベルに若干のばらつきが生ずることがある。
【０１６９】
そこで、第２の実施の形態においては、基本紙送り量に補正値を加算した紙送り量の紙送り動作の直前又は直後に連続して印刷された３個の紙送り誤差検出用印刷パターンからなる紙送り誤差検出用印刷パターングループごとに受光出力信号レベルの平均値、即ち、平均受光出力信号レベルを算出する。
【０１７０】
そして、各紙送り誤差検出用印刷パターングループの平均受光出力信号レベルを比較した結果、最も高い平均受光出力信号レベルが得られた紙送り誤差検出用印刷パターングループを特定することにより、平均印刷濃度が最低の紙送り誤差検出用印刷パターングループを特定することができる。また、平均印刷濃度が最低の紙送り誤差検出用印刷パターングループが、紙送り誤差が最小限に抑制されて印刷された紙送り誤差検出用印刷パターングループということになる。
【０１７１】
即ち、特定された最低濃度の紙送り誤差検出用印刷パターングループを印刷する直前の紙送り動作において紙送り量の理論値に加算された補正値が、当該印刷装置における紙送り誤差を最小限に抑制するための最適補正値ということになる。
【０１７２】
従って、当該印刷装置において、以後、印刷を実行する際には、指令する紙送り量に当該最適補正値を加算することにより、紙送り誤差を最小限に抑制し、印刷画質の向上を図ることができる。
【０１７３】
第２の実施の形態においては、複数の紙送り誤差検出用印刷パターンからなる紙送り誤差検出用印刷パターングループの平均印刷濃度、即ち、平均受光出力信号レベルを用いて最適補正値を決定しているので、より正確かつ確実に最適補正値を決定することができ、紙送り誤差を最小限に抑制して印刷画質の向上を図ることができる。
【０１７４】
図１３は、印刷ヘッドがマルチヘッドである場合に、本発明に係る紙送り誤差検出装置及び印刷装置並びに紙送り誤差検出方法において使用する印刷ヘッドの上端部ノズル列及び下端部ノズル列の形成領域を示す平面図である。尚、図面の簡略化のため、図１３においては、印刷ヘッドのノズル列を１列分だけ示している。
【０１７５】
印刷装置の機種によっては、複数の印刷ヘッド、即ち、マルチヘッドが搭載されているものがあり、図１３に示すように、例えば２個の印刷ヘッド１３６，２３６が副走査方向、即ち、紙送り方向に縦列に配置されて、キャリッジ２８に搭載されているものがある。
【０１７６】
本発明に係る紙送り誤差検出装置及び印刷装置並びに紙送り誤差検出方法は、このようなマルチヘッドを搭載した印刷装置においても適用することができる。印刷ヘッドがマルチヘッドである場合、紙送り方向に縦列に配置されている複数の印刷ヘッド全体を１個の印刷ヘッドとして捉え、その下端部ノズル列２３６Ｒ及び上端部ノズル列１３６Ａを使用して、上述の紙送り誤差検出用印刷パターンを印刷する。
【０１７７】
尚、印刷ヘッドが単一ヘッド、マルチヘッドのいずれの場合でも、紙送り誤差検出用印刷パターンの印刷に使用する下端部ノズル列及び上端部ノズル列は、必ずしも最下端ノズル及び最上端ノズルを含む必要はないが、下端部ノズル列と上端部ノズル列との距離が大きい方が、補正値を加算する紙送り動作間の紙送り量が大きくなり、最適補正値の精度を向上させることができる。
【０１７８】
そこで、本発明に係る紙送り誤差検出装置及び印刷装置並びに紙送り誤差検出方法の本実施の形態においては、印刷媒体搬送方向に沿って配設された複数のインク吐出部（ノズル）を有する印刷ヘッドの中央部より搬送方向上流側に位置する複数のインク吐出部からなるノズル列を下端部ノズル列として使用し、印刷ヘッドの中央部より搬送方向下流側に位置する複数の上記インク吐出部からなるノズル列を上端部ノズル列として使用する。
【０１７９】
以上に説明した実施の形態においては、最適補正値の精度を向上させるべく、印刷ヘッドの中央部より印刷媒体搬送方向上流側に位置する複数のインク吐出部からなるノズル列を下端部ノズル列として使用し、印刷ヘッドの中央部より印刷媒体搬送方向下流側に位置する複数のインク吐出部からなるノズル列を上端部ノズル列として使用するものとしている。
【０１８０】
しかし、下端部ノズル列が、印刷ヘッドの中央部より印刷媒体搬送方向上流側に位置する複数のインク吐出部からなるノズル列であること、及び、上端部ノズル列が、印刷ヘッドの中央部より印刷媒体搬送方向下流側に位置する複数のインク吐出部からなるノズル列であることは、本発明に係る紙送り誤差検出装置及び印刷装置並びに紙送り誤差検出方法を実施する上で、必須の条件というわけではない。
【０１８１】
即ち、本発明に係る紙送り誤差検出装置及び印刷装置並びに紙送り誤差検出方法は、印刷媒体搬送方向に沿って配設された複数のインク吐出部を有する印刷ヘッドの複数のインク吐出部のうち相対的に印刷媒体搬送方向上流側に位置する複数のインク吐出部の一部により構成される上流側ノズル列を下端部ノズル列の代わりに使用し、かつ、印刷ヘッドの複数のインク吐出部のうち上流側ノズル列より相対的に搬送方向下流側に位置する複数のインク吐出部の一部により構成される下流側ノズル列を上端部ノズル列の代わりに使用しても、同様に実施することができ、同様の効果を得ることができる。
【産業上の利用可能性】
【０１８２】
本発明に係る紙送り誤差検出装置及び印刷装置並びに紙送り誤差検出方法は、インクジェットプリンタに限らず、反射光の強度に反映される印刷媒体表面の印刷状態を検出することにより印刷装置の種々の動作状態を判定するための印刷動作状態判定装置として光学式センサを搭載している印刷装置全般の紙送り誤差検出装置及び印刷装置並びに紙送り誤差検出方法に適用することが可能である。
【図面の簡単な説明】
【０１８３】
【図１】本発明に係る紙送り誤差検出装置及び印刷装置並びに紙送り誤差検出方法の構成の主な適用対象であるインクジェットプリンタにおける主要部の概略構成を示す斜視図である。
【図２】印刷ヘッド３６を上方から見た際のノズルと光センサ４１との配置を示す透視図である。
【図３】プリンタ２０の電気的構成を示すブロック図である。
【図４】本発明の適用対象であるインク吐出判定用光学式センサの通常の構成を模式的に示す説明図である。
【図５】一色のインクにより印刷形成された検査用パターンの一例を模式的に示す説明図である。
【図６】検査用パターンを構成する検査用印刷ブロックＢＬを模式的に示す説明図である。
【図７】光センサによる走査の際の検査用パターン上におけるスポットの軌跡を模式的に示す説明図である。
【図８】インク吐出の有無の判定における出力信号レベルと判定閾値との関係を示すグラフである。
【図９】本発明に係る紙送り誤差検出装置及び印刷装置並びに紙送り誤差検出方法において使用する印刷ヘッドの上端部ノズル列及び下端部ノズル列の形成領域を示す平面図である。
【図１０】本発明に係る紙送り誤差検出装置及び印刷装置並びに紙送り誤差検出方法において印刷する紙送り誤差検出用印刷パターンの構成を模式的に示す平面図である。
【図１１】本発明の第１の実施の形態に係る紙送り誤差検出装置及び印刷装置の動作並びに紙送り誤差検出方法の過程を模式的に示す説明図である。
【図１２】本発明の第２の実施の形態に係る紙送り誤差検出装置及び印刷装置の動作並びに紙送り誤差検出方法の過程を模式的に示す説明図である。
【図１３】印刷ヘッドがマルチヘッドである場合に、本発明に係る紙送り誤差検出装置及び印刷装置並びに紙送り誤差検出方法において使用する印刷ヘッドの上端部ノズル列及び下端部ノズル列の形成領域を示す平面図である。
【符号の説明】
【０１８４】
１０  照射領域（スポット）
２０  プリンタ
２２  用紙スタッカ
２４  搬送ローラ
２５  ロータリーエンコーダ
２６  プラテン板
２８  キャリッジ
２９  リニアエンコーダ
３０  キャリッジモータ
３１  搬送モータ
３２  牽引ベルト
３３  符号板
３４  ガイドレール
３６  印刷ヘッド
４１  光センサ
４１ａ  発光部
４１ｂ  受光部
５０  受信バッファメモリ
５２  イメージバッファ
５４  システムコントローラ
５４ａ  判定部
６１  主走査ドライバ
６２  副走査ドライバ
６３  光センサドライバ
６６  ヘッドドライバ
７１  印刷パターン
１００  ホストコンピュータ
２００  クリーニング機構
２１０  ヘッドキャップ
３６Ａ，１３６Ａ  上端部ノズル列
３６Ｒ，２３６Ｒ  下端部ノズル列
１３６，２３６  マルチヘッドを構成する印刷ヘッド
ＢＬ  印刷ブロック
ＢＬａ  空白印刷ブロック
ＢＬｂ  正常印刷ブロック
ＣＤ  濃シアンインクノズル列
ＣＬ  淡シアンインクノズル列
ＫＤ  ブラックインクノズル列
ＫＬ  淡ブラックインクノズル列
ＫＰ  フォトブラックインクノズル列
ＭＤ  濃マゼンタインクノズル列
ＭＬ  淡マゼンタインクノズル列
ＹＤ  イエローインクノズル列
Ｌａ  照射光
Ｌｂ  反射光
ＭＳ  主走査方向
Ｐ  印刷用紙
ＳＳ  副走査方向
Ｖth  閾値
Ｖ０  空白印刷ブロックの出力信号レベル
ＶＬ  正常印刷ブロックの出力信号レベル
Ｒ（Ｎ）  基準パターン
Ａ（Ｎ）  調整用パターン
Ｐ（Ｎ）  印刷ヘッド位置
【図１】
2005066935.tif 000003
【図２】
2005066935.tif 000004
【図３】
2005066935.tif 000005
【図４】
2005066935.tif 000006
【図５】
2005066935.tif 000007
【図６】
2005066935.tif 000008
【図７】
2005066935.tif 000009
【図８】
2005066935.tif 000010
【図９】
2005066935.tif 000011
【図１０】
2005066935.tif 000012
【図１１】
2005066935.tif 000013
【図１２】
2005066935.tif 000014
【図１３】
2005066935.tif 000015